(57)【要約】【課題】簡単に組み立てることができ、パックを確実に宙吊り状態で支持できるパック収納用トレーを提供する。【解決手段】底壁３の周囲に各一対の側壁４及び端壁５を設けたトレー本体１と、その内部に挿入される仕切体２とから成り、仕切体２は、パック挿入口２１ａを備えた枠板２１の両端から端脚板２２を下方へ折り曲げて形成し、パック挿入口２１ａに挿入したパックＰのフランジを枠板２１で持ち上げて、パックＰを宙吊り状態で支持するようにしたパック収納用トレーにおいて、前記仕切体２では、両端の端脚板２２に亘る方向において隣り合うパック挿入口２１ａの近接する開口辺にそれぞれ中脚板２３を連設し、これらの中脚板２３同士を交差させて係合させ、中脚板２３の先端をトレー本体１の底壁３に接地させて、枠板２１の中間部を支えるようにする。【選択図】図３
2008222292.tif 000002
【特許請求の範囲】
【請求項１】
底壁(3)の周囲に各一対の側壁(4)及び端壁(5)を設けたトレー本体(1)と、その内部に挿入される仕切体(2)とから成り、仕切体(2)は、パック挿入口(21a)を備えた枠板(21)の両端から端脚板(22)を下方へ折り曲げて形成し、パック挿入口(21a)に挿入したパックのフランジを枠板(21)で持ち上げて、パックを宙吊り状態で支持するようにしたパック収納用トレーにおいて、
前記仕切体(2)では、両端の端脚板(22)に亘る方向において隣り合うパック挿入口(21a)の近接する開口辺にそれぞれ中脚板(23)を連設し、これらの中脚板(23)同士を交差させて係合させ、中脚板(23)の先端をトレー本体(1)の底壁(3)に接地させたことを特徴とするパック収納用トレー。
【発明の詳細な説明】
【技術分野】
【０００１】
この発明は、いちごパック等の運搬に使用する段ボール製トレーに関するものである。
【背景技術】
【０００２】
従来、下記特許文献１には、図５に示すように、底壁６１の周囲に各一対の側壁６２及び端壁６３を設けたトレー本体５１と、その内部に挿入される２個の仕切体５２とから成る段ボール製トレーが記載されている。
【０００３】
上記仕切体５２は、２個のパック挿入口７３を備えた枠板７１の両端から端脚板７２を下方へ折り曲げて形成し、トレー本体５１への挿入に際し、隣接する仕切体５２の一方の端脚板７２同士を突き合わせる。
【０００４】
このトレーでは、パック挿入口７３に挿入したパックＰのフランジが枠板７１により持ち上げられて、パックＰが宙吊り状態で支持され、輸送中の衝撃によりパックの底部がトレー本体５１の底壁６１に衝突することがなく、パックＰ内のいちご等が保護される。
【０００５】
【特許文献１】特開２００６−８９０６２号公報
【発明の開示】
【発明が解決しようとする課題】
【０００６】
しかしながら、上記のようなトレーでは、組み立てる際、２個の仕切体５２の両端の端脚板７２の反発を押さえつつ、これらの仕切体５２をそれぞれトレー本体５１に挿入しなければならず、作業性がよくないという問題がある。
【０００７】
その対策として、４個のパック挿入口を有する大きな仕切体を使用し、両端の２枚の端脚板だけで４個のパックの荷重を支持しようとすると、枠板が下方へ撓んで、パックがトレー本体の底壁に接地し、宙吊りの効果が得られなくなるという問題が生じる。
【０００８】
そこで、この発明は、簡単に組み立てることができ、パックを確実に宙吊り状態で支持できるパック収納用トレーを提供することを課題とする。
【課題を解決するための手段】
【０００９】
上記課題を解決するため、この発明は、底壁の周囲に各一対の側壁及び端壁を設けたトレー本体と、その内部に挿入される仕切体とから成り、仕切体は、パック挿入口を備えた枠板の両端から端脚板を下方へ折り曲げて形成し、パック挿入口に挿入したパックのフランジを枠板で持ち上げて、パックを宙吊り状態で支持するようにしたパック収納用トレーにおいて、前記仕切体では、両端の端脚板に亘る方向において隣り合うパック挿入口の近接する開口辺にそれぞれ中脚板を連設し、これらの中脚板同士を交差させて係合させ、中脚板の先端をトレー本体の底壁に接地させたのである。
【発明の効果】
【００１０】
この発明に係るトレーでは、パック挿入口にパックを挿入した状態において、中脚板が揺動することなく安定して枠板の中間部を支えるので、枠板の撓みが阻止され、パックがトレー本体の底壁に接地することがなく、いちご等の内容物の傷みが防止される。
【００１１】
また、組み立てに際し、複数の仕切体を折曲部の反発に抗してトレー本体に挿入する必要がなく、容易に組み立てることができる。
【００１２】
さらに、ブランクにおいて、中脚板は、パック挿入口の抜き落としていた部分を使用して形成するので、材料の使用量を削減でき、コストを抑制することができる。
【発明を実施するための最良の形態】
【００１３】
以下、この発明の実施形態を添付図面に基づいて説明する。このトレーは、いちごパックを４個収納するものであり、図１に示すように、段ボールシートを打ち抜いた各１個のトレー本体１及び仕切体２のブランクから構成される。
【００１４】
トレー本体１のブランクでは、底壁３の長辺に側壁４が、短辺に端壁５がそれぞれ連設され、側壁４は、底壁３から外側板６、頂板７及び内側板８を順次連設し、端壁５は、底壁３から外端板９、頂板１０及び内端板１１を順次連設したものとされている。
【００１５】
外側板６及び内側板８の両端縁には折込片１２，１３が連設され、対向する内側板８の一方の折込片１３の先端には突出した継手１３ａが、他方の折込片１３の先端には切り込まれた継手１３ｂがそれぞれ設けられている。内端板１１の両側には係止突起１１ａが設けられ、内側板８の両側には折込片１３との境界に沿って係止突起１１ａに対応する係止穴８ａが設けられている。
【００１６】
側壁４の頂板７には、外側板６及び内側板８に亘る２本の切目線間に、段積突起７ａとなる部分が設けられ、底壁３には、外側板６との境界に沿って段積突起７ａに対応する係止穴３ａが設けられている。また、外側板６と内側板８には、内容物確認及び通気用の窓穴１４が２個ずつ設けられている。
【００１７】
一方、仕切体２のブランクでは、枠板２１に４個のパック挿入口２１ａが縦横に２個ずつ配置され、枠板２１の両端には端脚板２２が連設されている。両端の端脚板２２に亘る方向において隣り合うパック挿入口２１ａの開口辺のうち、近接する短い開口辺には、中脚板２３が連設され、一方の中脚板２３の先端縁には係合突片２３ａが、他方の中脚板２３の先端縁には係合凹部２３ｂがそれぞれ形成されている。
【００１８】
また、枠板２１の中央桟部から両側の中脚板２３へかけて、パック挿入口２１ａに連通する指入用の切込部２１ｂが形成され、パック挿入口２１ａの長い開口辺の中央部には、保持片２４が連設されている。
【００１９】
上記のようなブランクを組み立てるには、図２に示すように、トレー本体１の底壁３から外側板６を起こし、頂板７を内側水平方向へ、内側板８を下方へ順次折り曲げ、折込片１２，１３を内側へ折り曲げて、継手１３ａ，１３ｂを噛み合わせ、両側壁４を起立状態に保持する。
【００２０】
次に、底壁３から外端板９を起こし、頂板１０を内側水平方向へ、内端板１１を下方へ折り曲げて、折込片１２，１３を外端板９と内端板１１の間に抱き込み、係止突起１１ａを係止穴８ａに係合させて、内端板１１の反発による折り曲げの戻りを阻止し、両端壁５も起立状態に保持する。
【００２１】
その後、仕切体２の枠板２１から一対の端脚板２２を下方へ折り曲げ、隣り合うパック挿入口２１ａの中脚板２３同士を、係合突片２３ａと係合凹部２３ｂとの係合に伴い交差させ、保持片２４を下方へ折り曲げ、図３及び図４に示すように、トレー本体１に仕切体２を挿入すると、中脚板２３の先端がトレー本体１の底壁３に接地する。
【００２２】
そして、このトレーにいちごパックＰを収納する際には、パックＰを仕切体２のパック挿入口２１ａに挿入し、パックＰのフランジを枠板２１に載せる。これにより、パックＰは、四辺のフランジで枠板２１に持ち上げられて、宙吊り状態で支持され、保持片２４が反発によりパックＰの長手方向の側面に当接して、パックＰが保持される。
【００２３】
上記のようなトレーでは、パック挿入口２１ａにパックＰを挿入した状態において、中脚板２３が揺動することなく安定して枠板２１の中間部を支えるので、枠板２１の撓みが阻止され、パックＰがトレー本体１の底壁３に接地することがなく、いちご等の内容物の傷みが防止される。
【００２４】
特に、このトレーの場合、隣り合うパック挿入口２１ａの間に指入用の切込部２１ｂが設けられていることから、枠板２１の強度低下が懸念されるが、交差した中脚板２３により枠板２１が補強されるので、枠板２１の撓みが確実に阻止される。
【００２５】
また、このトレーは、組み立てに際し、複数の仕切体２を折曲部の反発に抗してトレー本体１に挿入する必要がなく、容易に組み立てることができる。
【００２６】
さらに、ブランクにおいて、中脚板２３は、パック挿入口２１ａの抜き落としていた部分を使用して形成するので、材料の使用量を削減でき、コストを抑制することができる。
【００２７】
なお、上記実施形態では、仕切体２に４個のパック挿入口２１ａを有するものを例示したが、仕切体に２個のパック挿入口のみを有するものや、６個、８個等の多数のパック挿入口を有するトレーにおいても、同様に中脚板２３を設けて、パックＰを確実に宙吊り状態に支持することができる。
【００２８】
また、交差させる各対の中脚板２３に、係合突片２３ａと係合凹部２３ｂとを１組のみ設けたものを例示したが、これらを複数組設けて、係合の確実性を高めることもできる。
【００２９】
そのほか、トレー本体１と仕切体２とを別体としたものを例示したが、トレー本体１の側壁４又は端壁５に仕切体２を連設した構成のものにおいても、同様に中脚板２３を設けて、パックＰを確実に宙吊り状態に支持することができる。
【図面の簡単な説明】
【００３０】
【図１】この発明の実施形態に係るトレーのブランクを示す図
【図２】同上のトレー本体と仕切体の分離状態を示す斜視図
【図３】同上のトレーの使用状態を示す斜視図
【図４】（ａ）同上の縦断正面図、（ｂ）同上の縦断側面図
【図５】従来のパック収納用トレーを示す斜視図
【符号の説明】
【００３１】
１  トレー本体
２  仕切体
３  底壁
４  側壁
５  端壁
６  外側板
７  頂板
８  内側板
９  外端板
１０  頂板
１１  内端板
１１ａ  係止突起
１２，１３  折込片
１３ａ，１３ｂ  継手
１４  窓穴
２１  枠板
２１ａ  パック挿入口
２１ｂ  切込部
２２  端脚板
２３  中脚板
２３ａ  係合突片
２３ｂ  係合凹部
２４  保持片
Ｐ  パック
【図１】
2008222292.tif 000003
【図２】
2008222292.tif 000004
【図３】
2008222292.tif 000005
【図４】
2008222292.tif 000006
【図５】
2008222292.tif 000007